(57)【要約】【課題】広告効果が高い広告情報配信システムを提供する。【解決手段】ユーザＡに対応するアバター１７Ａと、ユーザＢに対応するアバター１７Ｂが、ユーザＡとユーザＢそれぞれのユーザ端末１４から選択された同じ場所の実写背景画像１７Ｃに合成された合成画像１７が得られる。ユーザＡとユーザＢはそれぞれ、ユーザ端末１４から管理サーバ２に文字情報を送信する。送信されたユーザＡの文字情報は、合成画像１７において、ユーザＡに対応するアバター１７Ａに近接する位置に、転送されたユーザＢの文字情報は、合成画像１７において、ユーザＢに対応するアバター１７Ｂに近接する位置に、それぞれ表示されるよう記録される。即ち、吹き出しに文字情報が表示される。管理サーバ２は、ユーザＡの文字情報と、ユーザＢの文字情報とを投稿処理サーバ１５へ転送する。【選択図】図２
2013122632.tif 000002
【特許請求の範囲】
【請求項１】
実写背景画像を記録する実写背景画像記録手段と、
ユーザ情報を記録するユーザ情報記録手段と、
該ユーザ情報記録手段に記録されたユーザ情報に基づいてアバターを作成するアバター作成手段と、
該アバター作成手段が作成したアバターを、前記実写背景画像記録手段に記録された実写背景画像のうち、前記アバターに対応するユーザのユーザ端末が選択した実写背景画像に合成する合成手段と、
該合成手段で得られた合成画像において、前記アバターに対応するユーザのユーザ端末から受信した文字情報を、同アバターに近接する位置に表示されるよう記録すると共に前記文字情報を投稿処理サーバへ転送する文字情報記録手段と、
前記合成手段で得られた合成画像において、前記アバターに対応するユーザのユーザ端末から受信した同アバターの動作情報を、同アバターに対応させて記録するアバター動作情報記録手段と、
前記実写背景画像に示された場所に関連する広告情報を、同実写背景画像と合成されたアバターに対応するユーザ端末に配信する広告情報配信手段とを有する管理サーバを備える
広告情報配信システム。
【請求項２】
前記管理サーバは、前記実写背景画像に対応する位置の緯度経度と共に同位置の地図情報を記録する地図情報記録手段を有する
請求項１に記載の広告情報配信システム。
【請求項３】
前記管理サーバは、前記アバター動作情報記録手段に記録された前記アバターの動作情報に基づくアバターの移動に伴って、前記合成画像の実写背景画像を変化させる処理を行う合成画像処理手段を有する
請求項１または請求項２に記載の広告情報配信システム。
【請求項４】
前記管理サーバは、ユーザ端末からユーザ端末の位置情報を取得するユーザ端末位置情報取得手段と、
該ユーザ端末位置情報取得手段が取得したユーザ端末の位置情報に対応する地図情報に、同ユーザ端末に対応するアバターを関連付けて記録するアバター位置記録手段とを有する
請求項１〜３のいずれか１つに記載の広告情報配信システム。
【発明の詳細な説明】
【技術分野】
【０００１】
本発明は広告情報配信システムに関する。詳しくは、ターゲットを絞りやすくした広告情報配信システムに係るものである。
【背景技術】
【０００２】
テレビ、ラジオ、新聞、雑誌等のマスメディアを通じて大量の広告情報が提供されており、消費者は、これら広告情報に繰り返し接することで、広告された企業、商品及びサービスに興味を抱くようになり、消費活動へとつながる。
【０００３】
このように、商品やサービスを消費者に浸透させるために、マスメディアを通した広告活動は大変重要である。しかし、マスメディアを通した広告活動は、多額の費用と手間がかかるため、資金が潤沢な企業以外はほとんど利用できない。
【０００４】
また、インターネットを通じた広告活動もあり、これは中小企業や個人に適していると言われている。
例えば特許文献１には、ユーザの携帯電話装置の使用状況に関する履歴またはユーザの行動に関する履歴を取得し、各履歴に基づいて、ユーザの属性情報を生成し、その属性情報と移動体の位置情報とに基づいて広告情報を選定する広告提供システムが記載されている。また、ユーザの位置情報として目的地の情報を用いている。
【先行技術文献】
【特許文献】
【０００５】
【特許文献１】特開２００９−８０７３３号公報
【発明の概要】
【発明が解決しようとする課題】
【０００６】
しかしながら、特許文献１のシステムのように、目的地の情報を用いた場合、目的地に関する広告情報を配信することになり、ユーザは、広告しようとする施設等を既に目的地としているので、広告によってユーザを呼んだことにはならず、広告効果が高いとは言えない。
【０００７】
本発明は、以上の点に鑑みて創案されたものであり、広告効果が高い広告情報配信システムを提供することを目的とする。
【課題を解決するための手段】
【０００８】
上記の目的を達成するために、本発明の広告情報配信システムは、実写背景画像を記録する実写背景画像記録手段と、ユーザ情報を記録するユーザ情報記録手段と、該ユーザ情報記録手段に記録されたユーザ情報に基づいてアバターを作成するアバター作成手段と、該アバター作成手段が作成したアバターを、前記実写背景画像記録手段に記録された実写背景画像のうち、前記アバターに対応するユーザのユーザ端末が選択した実写背景画像に合成する合成手段と、該合成手段で得られた合成画像において、前記アバターに対応するユーザのユーザ端末から受信した文字情報を、同アバターに近接する位置に表示されるよう記録すると共に前記文字情報を投稿処理サーバへ転送する文字情報記録手段と、前記合成手段で得られた合成画像において、前記アバターに対応するユーザのユーザ端末から受信した同アバターの動作情報を、同アバターに対応させて記録するアバター動作情報記録手段と、前記実写背景画像に示された場所に関連する広告情報を、同実写背景画像と合成されたアバターに対応するユーザ端末に配信する広告情報配信手段とを有する管理サーバを備える。
【０００９】
ここで、合成画像において、アバターに対応するユーザのユーザ端末から受信した文字情報を、このアバターに近接する位置に表示されるよう記録すると共に文字情報を投稿処理サーバへ転送する文字情報記録手段によって、ツイッター（登録商標）やフェイスブック（登録商標）などの投稿処理サイトと連動しているので、投稿処理サイトの閲覧者から本発明のシステムの利用者（ユーザ）を呼び込むことができ、また、実写背景画像を用いているので、ユーザは、サイト上でアバターを通して、現実空間を基にした実体的で判りやすく、現実生活活動に近いコミュニケーションができる。
【００１０】
また、実写背景画像に示された場所に関連する広告情報を、実写背景画像と合成されたアバターに対応するユーザ端末に配信する広告情報配信手段によって、ユーザが選択してアバターと合成された実写背景画像に示された場所から、ユーザの趣味嗜好を把握でき、ターゲットを絞って広告情報を配信できる。
【００１１】
また、本発明の広告情報配信システムにおいて、管理サーバは、実写背景画像に対応する位置の緯度経度と共に同位置の地図情報を記録する地図情報記録手段を有するものとすることができる。
【００１２】
この場合、アバターと合成された実写背景画像に対応する緯度経度データが得られるので、アバターが位置する緯度経度データを利用して、ユーザが興味を示す場所を、好みの大きさ及び形状で範囲指定することができる。
【００１３】
また、本発明の広告情報配信システムにおいて、管理サーバは、アバター動作情報記録手段に記録されたアバターの動作情報に基づくアバターの移動に伴って、合成画像の実写背景画像を変化させる処理を行う合成画像処理手段を有するものとすることができる。
【００１４】
この場合、ユーザがアバターを好きなように動かすと、その動きに伴ってストリートビューのように実写背景画像も動かすことができ、ユーザの興味をより一層引くことができる。
【００１５】
また、本発明の広告情報配信システムにおいて、管理サーバは、ユーザ端末からユーザ端末の位置情報を取得するユーザ端末位置情報取得手段と、ユーザ端末位置情報取得手段が取得したユーザ端末の位置情報に対応する地図情報に、ユーザ端末に対応するアバターを関連付けて記録するアバター位置記録手段とを有するものとすることができる。
【００１６】
この場合、ユーザは、自分が携帯しているユーザ端末の位置情報即ちユーザの実際の位置に対応する地図上の位置に、自分のアバターが配置されるようにすることができる。
【発明の効果】
【００１７】
本発明に係る広告情報配信システムは、広告効果が高い。
【図面の簡単な説明】
【００１８】
【図１】本発明の広告情報配信システムの構成の一例を示す概略図である。
【図２】本発明の広告情報配信システムにおける合成画像（ａ）の一例と投稿処理サイトの画像（ｂ）の一例を示す概略図である。
【発明を実施するための形態】
【００１９】
以下、本発明の実施の形態について図面を参照しながら説明し、本発明の理解に供する。
図１は、本発明の広告情報配信システムの構成の一例を示す概略図である。
また、図２は、本発明の広告情報配信システムにおける合成画像（ａ）の一例と投稿処理サイトの画像（ｂ）の一例を示す概略図である。
【００２０】
図１において、本発明の広告情報配信システム１は、管理サーバ２と、例えばツイッター（登録商標）のような投稿処理サイトを提供する投稿処理サーバ１５と、これらサーバとインターネット（通信回線の一例である。）１６を介して通信可能なスマートフォンなどのユーザ端末１４とを備える。
【００２１】
また、管理サーバ２は、路上から撮像した街並みなどの実写画像である実写背景画像を記録する実写背景画像データベース（実写背景画像記録手段の一例である。）３を有する。
【００２２】
また、管理サーバ２は、ユーザ情報を記録するユーザ情報データベース（ユーザ情報記録手段の一例である。）４を有する。
【００２３】
ここで、ユーザ情報としては、例えば、ユーザの個人情報（例えば、ＩＤ、住所、メールアドレス、性別、趣味、自分のアバターに関する情報）が挙げられる。
また、アバターに関する情報としては、例えば、性別、顔の表情、服装、髪型が挙げられる。
【００２４】
また、管理サーバ２は、ユーザ情報データベース４に記録されたユーザ情報に基づいてアバターを作成するアバター作成手段５を有する。
【００２５】
また、管理サーバ２は、アバター作成手段５が作成したアバターを、実写背景画像データベース３に記録された実写背景画像のうち、アバターに対応するユーザのユーザ端末１４が選択した実写背景画像に合成する合成手段６を有する。
【００２６】
また、管理サーバ２は、合成手段６で得られた合成画像１７において、アバターに対応するユーザのユーザ端末１４から受信した文字情報を、アバターに近接する位置に表示されるよう記録すると共に文字情報を投稿処理サーバ１５へ転送する文字情報データベース（文字情報記録手段の一例である。）７を有する。
【００２７】
また、管理サーバ２は、合成手段６で得られた合成画像１７において、アバターに対応するユーザのユーザ端末１４から受信したアバターの動作情報を、アバターに対応させて記録するアバター動作情報データベース（アバター動作情報記録手段の一例である。）８を有する。
【００２８】
図２に示すように、ユーザＡのユーザ情報に基づいて作成されたアバター１７Ａと、ユーザＢのユーザ情報に基づいて作成されたアバター１７Ｂが、ユーザＡとユーザＢそれぞれのユーザ端末１４から選択された福岡市天神地区の同じ場所の実写背景画像１７Ｃに合成された合成画像１７が得られる。
また、ユーザＡとユーザＢはどちらも福岡市以外の場所例えば鹿児島市に在住する者とする。
【００２９】
また、ユーザＡとユーザＢはそれぞれ、ユーザ端末１４から管理サーバ２に文字情報を送信する。例えばユーザＡは、「天神で何食べる？」という文字情報を管理サーバ２へ送信し、これに対してユーザＢは、「○○屋の定食はどう？」という文字情報を、同じく管理サーバ２へ送信する。
【００３０】
そして、送信されたユーザＡの文字情報は、合成画像１７において、ユーザＡに対応するアバター１７Ａに近接する位置に表示されるよう記録され、また、送信されたユーザＢの文字情報は、合成画像１７において、ユーザＢに対応するアバター１７Ｂに近接する位置に表示されるよう記録される。即ち、図２（ａ）に示すように、吹き出しに文字情報が表示される。
【００３１】
すると、管理サーバ２の文字情報データベース７から投稿処理サーバ１５へ、ユーザＡの文字情報と、ユーザＢの文字情報とが転送され、図２（ｂ）に示すように、投稿処理サイトの画像には、送信された文字情報が表示される。
【００３２】
また、管理サーバ２は、実写背景画像に示された場所に関連する広告情報を、実写背景画像と合成されたアバターに対応するユーザ端末１４に配信する広告情報配信手段９を有する。
【００３３】
また、管理サーバ２は、ユーザ端末１４からユーザ端末１４の位置情報（緯度経度など）を取得するユーザ端末位置情報取得手段１０を有する。
【００３４】
また、管理サーバ２は、ユーザ端末位置情報取得手段１０が取得したユーザ端末１４の位置情報に対応する地図情報に、ユーザ端末１４に対応するアバターを関連付けて記録するアバター位置データベース（アバター位置記録手段の一例である。）１１を有する。
【００３５】
また、管理サーバ２は、実写背景画像に対応する位置の緯度経度と共に、この位置の地図情報を記録する地図情報データベース（地図情報記録手段の一例である。）１２を有する。
【００３６】
また、管理サーバ２は、アバター動作情報データベース８に記録されたアバターの動作情報に基づくアバターの移動に伴って、合成画像１７の実写背景画像１７Ｃを変化させる処理を行う合成画像処理手段１３を有する。
【００３７】
従って、ユーザＡやユーザＢは、自分のアバターの動作情報をユーザ端末１４からそれぞれ送信し、このアバターの動作情報に基づいて、自分のアバターを動かすことができる。そして、合成画像１７の実写背景画像１７Ｃも、アバターの移動に伴って変化する。
【００３８】
例えば、合成画像１７において、画面左方向へアバター１７Ａやアバター１７Ｂを移動させると、実写背景画像１７Ｃが変化して、実際のその位置の実写背景画像が合成表示され、あたかもアバターが実際の街中を歩いているように見せることができる。
【００３９】
また、例えば東京銀座の実写背景画像を選択してアバターを合成したユーザのユーザ端末に対しては、東京銀座という場所に関連する広告情報としてショッピング関連の広告情報を配信し、エジプトのピラミッドの実写背景画像を選択してアバターを合成したユーザのユーザ端末に対しては、エジプトという場所に関連する広告情報として考古学関連の広告情報を配信する。
【００４０】
また、実写背景画像に示された東京銀座という場所に関連する広告情報として、さらに場所的範囲を絞って、実写背景画像に示された東京銀座の百貨店に関連する広告情報を配信するよう設定することもできるし、あるいは、逆に場所的範囲を拡げて、実写背景画像に示された東京銀座に隣接する新橋などに関連する広告情報も配信するよう設定することもできる。
【００４１】
また、実写背景画像に示された場所を中心に、半径○○ｋｍ以内の地域に関連する広告情報を配信するよう設定することもできる。
【００４２】
また、ユーザＡとユーザＢはどちらも鹿児島市に在住する者なので、実写背景画像に示された東京銀座という場所に関連する広告情報として、鹿児島から東京銀座へ行くための移動手段（航空機、鉄道）や旅行商品に関する広告情報を配信するよう設定することもできる。
【００４３】
これは、アバターが合成される実写背景画像１７Ｃは、ユーザがユーザ端末から選択した画像なので、実写背景画像に示された場所に関連する情報は、ユーザが興味を示す確率が、それ以外の情報に比べて高いからである。
【００４４】
ここで、ユーザＡとユーザＢそれぞれのアバターを例に挙げて説明したが、同じ時間帯に同じ実写背景画像を選択した全く関係のない他のユーザがいれば、そのユーザに対応するアバターも、ユーザＡやユーザＢのアバターと同じ実写背景画像に合成されることは勿論である。
【００４５】
なお、無料会員のユーザに対応するアバターは、一定時間後に合成画像から消去され、有料会員のユーザに対応するアバターは、退会すれば合成画像から消去される。
【００４６】
また、一人のユーザが一つのアバターを合成する場合を説明したが、一人のユーザが複数のアバターを、それぞれ別の実写背景画像に合成するようにしてもよいことは勿論である。
【００４７】
また、実写背景画像には、アバターに加えてさらに、例えば、ＹＯＵＴＵＢＥ（登録商標）などの動画サイトとリンクしたアイコンも合成することができる。この場合、アイコンは、アバターが合成された実写背景画像と同じ画像に合成されてもよいし、別の実写背景画像に合成されてもよい。
この場合、アイコンが合成された実写背景画像に示された場所からだけでなく、アイコンのリンク先からも、ユーザの趣味嗜好を把握できる。
【００４８】
また、本発明の広告情報配信システムが、実写背景画像を記録する実写背景画像記録手段と、ユーザ情報を記録するユーザ情報記録手段と、ユーザ情報記録手段に記録されたユーザ情報に基づいてアバターを作成するアバター作成手段と、アバター作成手段が作成したアバターを、実写背景画像記録手段に記録された実写背景画像のうち、アバターに対応するユーザのユーザ端末が選択した実写背景画像に合成する合成手段と、合成手段で得られた合成画像において、アバターに対応するユーザのユーザ端末から受信した文字情報を、アバターに近接する位置に表示されるよう記録すると共に文字情報を投稿処理サーバへ転送する文字情報記録手段と、合成手段で得られた合成画像において、アバターに対応するユーザのユーザ端末から受信したアバターの動作情報を、アバターに対応させて記録するアバター動作情報記録手段と、実写背景画像に示された場所に関連する広告情報を、実写背景画像と合成されたアバターに対応するユーザ端末に配信する広告情報配信手段とを有する管理サーバを備えるのであれば、必ずしも管理サーバは、前述のような地図情報記録手段を有していなくてもよい。
【００４９】
しかし、管理サーバが、前述のような地図情報記録手段を有していれば、アバターと合成された実写背景画像に対応する緯度経度データが得られるので、アバターが位置する緯度経度データを利用して、ユーザが興味を示す場所を、好みの大きさ及び形状で範囲指定することができ、好ましい。
【００５０】
また、本発明の広告情報配信システムが、実写背景画像を記録する実写背景画像記録手段と、ユーザ情報を記録するユーザ情報記録手段と、ユーザ情報記録手段に記録されたユーザ情報に基づいてアバターを作成するアバター作成手段と、アバター作成手段が作成したアバターを、実写背景画像記録手段に記録された実写背景画像のうち、アバターに対応するユーザのユーザ端末が選択した実写背景画像に合成する合成手段と、合成手段で得られた合成画像において、アバターに対応するユーザのユーザ端末から受信した文字情報を、アバターに近接する位置に表示されるよう記録すると共に文字情報を投稿処理サーバへ転送する文字情報記録手段と、合成手段で得られた合成画像において、アバターに対応するユーザのユーザ端末から受信したアバターの動作情報を、アバターに対応させて記録するアバター動作情報記録手段と、実写背景画像に示された場所に関連する広告情報を、実写背景画像と合成されたアバターに対応するユーザ端末に配信する広告情報配信手段とを有する管理サーバを備えるのであれば、必ずしも管理サーバは、前述のような合成画像処理手段を有していなくてもよい。
【００５１】
しかし、管理サーバが、前述のような合成画像処理手段を有していれば、ユーザがアバターを好きなように動かすと、その動きに伴ってストリートビューのように実写背景画像も動かすことができ、ユーザの興味をより一層引くことができるので好ましい。
【００５２】
また、本発明の広告情報配信システムが、実写背景画像を記録する実写背景画像記録手段と、ユーザ情報を記録するユーザ情報記録手段と、ユーザ情報記録手段に記録されたユーザ情報に基づいてアバターを作成するアバター作成手段と、アバター作成手段が作成したアバターを、実写背景画像記録手段に記録された実写背景画像のうち、アバターに対応するユーザのユーザ端末が選択した実写背景画像に合成する合成手段と、合成手段で得られた合成画像において、アバターに対応するユーザのユーザ端末から受信した文字情報を、アバターに近接する位置に表示されるよう記録すると共に文字情報を投稿処理サーバへ転送する文字情報記録手段と、合成手段で得られた合成画像において、アバターに対応するユーザのユーザ端末から受信したアバターの動作情報を、アバターに対応させて記録するアバター動作情報記録手段と、実写背景画像に示された場所に関連する広告情報を、実写背景画像と合成されたアバターに対応するユーザ端末に配信する広告情報配信手段とを有する管理サーバを備えるのであれば、必ずしも管理サーバは、前述のようなユーザ端末位置情報取得手段やアバター位置記録手段を有していなくてもよい。
【００５３】
以上のように、本発明の広告情報配信システムは、実写背景画像に示された場所に関連する広告情報を、実写背景画像と合成されたアバターに対応するユーザ端末に配信するので、ユーザが選択してアバターと合成された実写背景画像に示された場所から、ユーザの趣味嗜好を把握でき、ターゲットを絞って広告情報を配信できる。
【００５４】
従って、本発明の広告情報配信システムは、広告効果が高い。
【００５５】
さらに、ユーザ情報記録手段には、ユーザの個人情報が記録されているので、ユーザの個人情報からユーザの趣味嗜好をより詳しく把握すれば、より一層ターゲットを絞ることができる。
【００５６】
また、アバターが合成される実写背景画像は、ユーザがユーザ端末から選択する画像であり、しかもアバターという分身を配置する画像なので、ユーザは、自分が実際に生活している場所とは異なる、これから行ってみたい場所の画像を選ぶ傾向にあり、実写背景画像に示された場所自体に関連する広告情報のみならず、その場所に関連する広告情報としてその場所に行くための移動手段や旅行商品の広告情報にも配信価値が生じる。
【００５７】
また、合成画像において、アバターに対応するユーザのユーザ端末から受信した文字情報を、このアバターに近接する位置に表示されるよう記録すると共に文字情報を投稿処理サーバへ転送する文字情報記録手段によって、ツイッター（登録商標）やフェイスブック（登録商標）などの投稿処理サイトと連動しているので、投稿処理サイトの閲覧者から本発明のシステムの利用者（ユーザ）を呼び込むことができ、また、実写背景画像を用いているので、ユーザは、サイト上でアバターを通して、現実空間を基にした実体的で判りやすく、現実生活活動に近いコミュニケーションができる。
【符号の説明】
【００５８】
１    広告情報配信システム
２    管理サーバ
３    実写背景画像データベース
４    ユーザ情報データベース
５    アバター作成手段
６    合成手段
７    文字情報データベース
８    アバター動作情報データベース
９    広告情報配信手段
１０    ユーザ端末位置情報取得手段
１１    アバター位置データベース
１２    地図情報データベース
１３    合成画像処理手段
１４    ユーザ端末
１５    投稿処理サーバ
１６    インターネット
１７    合成画像
１７Ａ  ユーザＡのアバター
１７Ｂ  ユーザＢのアバター
【図１】
2013122632.tif 000003
【図２】
2013122632.tif 000004